(57)【要約】特定の移動局（４−１）宛の下りのユーザデータ信号を、複数の基地局（３−１，３−２，３−３，…）を切り替えつつも常に１つの基地局から送信させ、当該移動局宛の第１の下り信号を１つの基地局又は複数の基地局から第１の下り無線チャネル（下りＡ−ＤＰＣＨ）により送信させ、第２の下り信号を送信する第２の下り無線チャネル（ＰＤＳＣＨ，ＨＳ−ＳＣＣＨ）の送信電力を第１の下り無線チャネルの送信電力に対してオフセットを保たせ、当該第１の下り無線チャネルの送信電力と連動させる。１つの移動局に対して同時に第１の下り無線チャネルで通信する基地局のダイバーシチブランチ数が多ければ、第２の下り無線チャネルの送信電力のオフセットを増加させ、少なければオフセットを減少させる。これにより、ダイバーシチ受信中に特定の基地局から送信される第２の下り信号の受信品質を常に良好に保てるようにする。
2003032528.tif 000002
【特許請求の範囲】
【請求項１】
移動局と複数の基地局と無線制御装置から構成され、前記無線制御装置によって各基地局を制御し、前記移動局が１又は複数の基地局との間で無線パケット通信を実行する移動パケット通信システムにおける送信電力制御方法であって、
前記移動局が、信号電波を受信できる１又は複数の基地局それぞれからの第１の下り無線チャネルの信号状態をチェックし、当該第１の下り無線チャネルの信号状態に応じてその送信電力の増減を指示する送信電力制御コマンドを当該第１の下り無線チャネルと対をなす上り無線チャネルを通じて各基地局に送信するステップと、
前記移動局と通信するように前記無線制御装置によって指定された、前記１又は複数の基地局各々が、前記移動局からの前記上り無線チャネルの信号状態をチェックし、当該上り無線チャネルの信号状態に応じてその送信電力の増減を指示する送信電力制御コマンドを当該上り無線チャネルと対をなす前記第１の下り無線チャネルを通じて送信するステップと、
前記無線制御装置が、前記移動局との間で通信している基地局のダイバーシチブランチ数を検出し、検出したダイバーシチブランチ数が多ければオフセットを増加させ、ダイバーシチブランチ数が少なければオフセットを減少させることによってオフセットを決定するステップと、
前記無線制御装置が、前記１又は複数の基地局の内の特定の基地局を前記移動局との間の第２の下り無線チャネルでの信号の送信役に指定し、当該送信役に指定した１つの基地局に対して、当該移動局へ信号を送信する前記第２の下り無線チャネルの送信電力を、前記第１の下り無線チャネルの送信電力に対して前記オフセットをかけた値にするように通知するステップと、
前記移動局との間の第２の下り無線チャネルでの信号の送信役に指定された前記１つの基地局が、前記第２の下り無線チャネルの送信電力を前記無線制御装置から通知されたものに調整し、前記無線制御装置から転送されてきた下り信号を送信するステップとを有する送信電力制御方法。
【請求項２】
前記移動パケット通信システムがＰＤＳＣＨを使用し、前記第１の下り無線チャネルが下りＡ−ＤＰＣＨであり、前記上り無線チャネルが上りＡ−ＤＰＣＨであり、前記第２の下り無線チャネルがＰＤＳＣＨであることを特徴とする請求項１の送信電力制御方法。
【請求項３】
前記移動パケット通信システムがＨＳ−ＰＤＳＣＨを使用し、前記第１の下り無線チャネルが下りＡ−ＤＰＣＨであり、前記上り無線チャネルが上りＡ−ＤＰＣＨであり、前記第２の下り無線チャネルがＨＳ−ＳＣＣＨであることを特徴とする請求項１の送信電力制御方法。
【請求項４】
複数の移動局に対して移動パケット通信を提供する移動パケット通信システムにおける無線制御装置の送信電力制御方法であって、
特定の移動局宛の第１の下り信号を、１又は複数の基地局それぞれから第１の下り無線チャネルによって送信させるステップと、
前記移動局に対する基地局のダイバーシチブランチ数を検出し、検出したダイバーシチブランチ数が多ければオフセットを増加させ、ダイバーシチブランチ数が少なければオフセットを減少させることによってオフセットを決定するステップと、
前記１又は複数の基地局の内の特定の基地局を前記移動局との間の第２の下り無線チャネルでの下り信号の送信役に指定し、指定した１つの基地局に対して、前記第２の下り無線チャネルの送信電力を、前記第１の下り無線チャネルの送信電力に対して前記オフセットをかけた値にするように通知するステップとを有する無線制御装置の送信電力制御方法。
【請求項５】
前記第２の下り無線チャネルの送信電力のオフセットは、前記ダイバーシチブランチ数の整数倍にすることを特徴とする請求項４の無線制御装置の送信電力制御方法。
【請求項６】
前記第２の下り無線チャネルの送信電力のオフセットは、予め登録されているテーブルデータから前記ダイバーシチブランチ数に対応するものを選択して決定することを特徴とする請求項４の無線制御装置の送信電力制御方法。
【請求項７】
前記移動パケット通信システムがＰＤＳＣＨを使用し、前記第１の下り無線チャネルが下りＡ−ＤＰＣＨであり、前記第２の下り無線チャネルがＰＤＳＣＨであることを特徴とする請求項４〜６のいずれかの無線制御装置の送信電力制御方法。
【請求項８】
前記移動パケット通信システムがＨＳ−ＰＤＳＣＨを使用し、前記第１の下り無線チャネルが下りＡ−ＤＰＣＨであり、前記第２の下り無線チャネルがＨＳ−ＳＣＣＨであることを特徴とする請求項４〜６のいずれかの無線制御装置の送信電力制御方法。
【請求項９】
移動局に対して移動パケット通信を提供する基地局の送信電力を制御する無線制御装置であって、
ダイバーシチブランチ数を増減制御するダイバーシチブランチ制御部と、
接続している移動局ごとのダイバーシチブランチ数を記憶する記憶部と、
前記記憶部に記憶されている移動局ごとのダイバーシチブランチ数に基づき当該移動局に対する特定の下り無線チャネルの送信電力のオフセットの値を決定し、該当基地局に指示するオフセット計算部とを備えて成る無線制御装置。
【請求項１０】
前記オフセット計算部は、前記特定の下り無線チャネルの送信電力のオフセットを、前記ダイバーシチブランチ数の整数倍にすることを特徴とする請求項９の無線制御装置。
【請求項１１】
前記オフセット計算部は、前記第２の下り無線チャネルの送信電力のオフセットを、記憶部に予め登録されているテーブルデータから前記ダイバーシチブランチ数に対応するものを選択して決定することを特徴とする請求項９の無線制御装置。
【請求項１２】
前記移動パケット通信システムがＰＤＳＣＨを使用し、前記特定の下り無線チャネルの送信電力のオフセットは、下りＡ−ＰＤＣＨの送信電力に対するＰＤＳＣＨの送信電力のオフセットであることを特徴とする請求項９〜１１のいずれかの無線制御装置。
【請求項１３】
前記移動パケット通信システムがＨＳ−ＰＤＳＣＨを使用し、前記特定の下り無線チャネルの送信電力のオフセットは、下りＡ−ＰＤＣＨの送信電力に対するＨＳ−ＳＣＣＨの送信電力のオフセットであることを特徴とする請求項９〜１１のいずれかの無線制御装置。
【発明の詳細な説明】
技術分野
本発明は、移動パケット通信システムにおける送信電力制御方法及び無線制御装置に関する。
背景技術
図１は、一般的な移動パケット通信システムの構成を示していて、交換装置１、無線制御装置２、そしてこの無線制御装置２により制御される基地局３−１，３−２，３−３，…、１又は複数の基地局と無線通信する多数のユーザ各々の移動局４−１，４−２，…から構成される。
2003032528.tif 000003
このシステムにおける移動パケット通信には、周波数利用効率の観点から、並びにパケット通信はある程度の遅延を許容するという性質から、図２に示すように、通常、基地局３から単一の無線チャネルＰＤＳＣＨ（Ｐｈｙｓｉｃａｌ  Ｄｏｗｎｌｉｎｋ  Ｓｈａｒｅｄ  ＣＨａｎｎｅｌ）に複数のユーザの移動局４−１，４−２，４−３へのデータＤ１，Ｄ２，Ｄ３を時間多重して送信する通信方式を採用している。
なお、本明細書では、無線チャネル名については、物理チャネル名を使用する。ここで用いるトランスポートチャネル名と物理チャネル名との間には、表１のような対応関係がある。
そして、単一の無線チャネルを複数のユーザで共有するため、従来では、図３に示すようなチャネル構成にしている。すなわち、ユーザの移動局宛のデータ（下りユーザデータ）を送信するための共有チャネルＰＤＳＣＨとは別に、Ａ−ＤＰＣＨ（Ａｓｓｏｃｉａｔｅｄ−Ｄｅｄｉｃａｔｅｄ  Ｐｈｙｓｉｃａｌ  ＣＨａｎｎｅｌ）と呼ばれるチャネルを上下回線で設定し、送信電力制御を行うようにしている。また、上り回線においては、移動局からの上りユーザデータと制御用の情報とを１本の物理チャネルＤＰＣＨ（Ｄｅｄｉｃａｔｅｄ  Ｐｈｙｓｉｃａｌ  ＣＨａｎｎｅｌ）に多重する。
この従来の通信方式では、下り回線の物理チャネルＡ−ＤＰＣＨは制御用の信号を送信する役割のみを担っているため、比較的低速な回線速度に設定される。一方、上り回線の物理チャネルＤＰＣＨは制御信号と共にユーザデータを送信するため、下り物理チャネルＡ−ＤＰＣＨよりは高速な回線速度に設定される。また、下り回線における共有チャネルＰＤＳＣＨは、高速なデータ通信が行えるように下り物理チャネルＡ−ＤＰＣＨと比較してはるかに高速な回線速度に設定される。
このような高速な共有チャネルＰＤＳＣＨを用いて通信を行う際には、このＰＤＳＣＨでデータを送信する無線フレームに先立ったＡ−ＤＰＣＨにおいて、予めＰＤＳＣＨを送信する旨を移動局に通知する。そしてこの通知を受けた移動局は、ＰＤＳＣＨが送信されると判明した場合にのみＰＤＳＣＨの受信を開始する。
このようにして、従来の移動パケット通信システムでは、基地局は、複数の移動局に対して下り物理チャネルＡ−ＤＰＣＨを通じて共有チャネルＰＤＳＣＨ送信の通知を行い、またこのＰＤＳＣＨを通じてユーザデータの送信を行うことにより、複数のユーザのユーザデータを時間多重して複数の移動局それぞれに伝送するのである。なお、図３において、下り回線は物理チャネルＡ−ＤＰＣＨと共有チャネルＰＤＳＣＨとの２本設定されているように示しているが、ＰＤＳＣＨは常時設定されるわけではなく、Ａ−ＤＰＣＨによって通知を受けた場合にのみこのＰＤＳＣＨを設定するものである。
また従来から、このような移動パケット通信には、下り回線の物理チャネルＡ−ＤＰＣＨと共有チャネルＰＤＳＣＨの回線品質を向上させるためにダイバーシチ受信（以下、「ＤＨＯ」と略称する）と呼ばれる技術が利用されている。図４は、このＤＨＯ技術が適用された場合の移動パケット通信におけるチャネル構成を示している。この場合、下り回線における物理チャネルＡ−ＤＰＣＨは複数の基地局３−１，３−２から同時に送信され、移動局４−１からの上り物理チャネルＤＰＣＨは複数の基地局３−１，３−２によって受信される。しかしながら、下り回線におけるユーザデータ送信のための共有チャネルＰＤＳＣＨに関しては、複数のユーザのユーザデータが時間多重される都合上データの送信タイミングを制御するのが難しいためにＤＨＯが適用されず、１つの基地局３−１のみから送信される。
符号分割多重接続方式（以下、「ＣＤＭＡ」と略称する）のように符号を用いてチャネルを構成する無線通信技術では、送信電力の制御が重要な要素技術となる。そこで、ＩＭＴ−２０００で採用が決定したＷ−ＣＤＭＡシステム（Ｗｉｄｅｂａｎｄ  Ｃｏｄｅ  Ｄｉｖｉｓｉｏｎ  Ｍｕｌｔｉｐｌｅ  Ａｃｃｅｓｓシステム）においては、高速送信電力制御と呼ばれる技術が採用される。なお、この高速送信電力制御技術はＷ−ＣＤＭＡシステムだけでなく、ＴＤＭＡ、ＦＤＭＡシステムにも適用できる技術である。
図５〜図７は、ＣＤＭＡにおける送信電力制御の動作を示している。
移動局４−１では、図５、図６に示すように、
▲１▼基地局３−１，３−２から必ず送信されてくる下り回線の物理チャネルＡ−ＤＰＣＨの信号電力対干渉電力比（以下、「ＳＩＲ」と略称する）を計算し、
▲２▼その結果と予め定められている目標値とを比較する。
▲３▼この比較において、目標値よりも計算されたＳＩＲの方が低ければ、基地局３−１，３−２に対してＡ−ＤＰＣＨの送信電力を増加させる送信電力制御コマンドを生成し、逆にＡ−ＤＰＣＨのＳＩＲが目標値よりも大きければ、自局当ての無線信号の送信電力を減少させる送信電力制御コマンドを生成する。
▲４▼そして、生成した送信電力制御コマンドを、上り物理チャネルＡ−ＤＰＣＨを用いて基地局３−１，３−２に送信する。
また、基地局３−１では、図５、図７に示すように
▲１▼移動局４−１からの上り回線のＡ−ＤＰＣＨのＳＩＲを計算し、
▲２▼移動局と同様に、予め定められた目標値とＡ−ＤＰＣＨのＳＩＲとを比較する。
▲３▼この比較において、目標値の方がＡ−ＤＰＣＨのＳＩＲよりも低ければ、移動局４−１に対して上り無線信号の送信電力を増加させる送信電力制御コマンドを生成し、逆にＡ−ＤＰＣＨのＳＩＲの方が目標値よりも大きければ、上り無線信号の送信電力を減少させる送信電力制御コマンドを生成する。
▲４▼そして、生成した送信電力制御コマンドを、下り物理チャネルＡ−ＤＰＣＨを用いて移動局４−１に送信する。
このようにして、移動局３−１と基地局４−１との間で互いの無線信号の送信電力を調整し合い、常に最適な送信電力を保つように動作する。
一方、下り回線の共有チャネルＰＤＳＣＨの送信電力については、同じ下り回線の物理チャネルＡ−ＤＰＣＨの送信電力値に対して予め定められた値、つまり、オフセット値を乗算した値に基づいて制御する。これは、下り回線のＡ−ＤＰＣＨの送信電力は移動局から送信される送信電力制御コマンドに基づいて常に最適に制御されていると考えられ、またＡ−ＤＰＣＨとＰＤＳＣＨとは同時に送信されるため、無線回線状態はＡ−ＤＰＣＨとＰＤＳＣＨとで同一と見なすことができるからである。そして、このオフセット値は、図９に示した移動パケット通信システムにおける無線制御装置２から各基地局３−１，３−２，３−３に通知される。
ところが、従来の移動パケット通信システムでは、ダイバーシチ受信（ＤＨＯ）中に起こる次のような問題点があった。図８を用いて、この問題点を明らかにする。
基地局３−１と基地局３−２とが共に、
▲１▼１つの移動局から上り物理チャネルＡ−ＤＰＣＨを受信する場合、基地局３−１、基地局３−２それぞれでＡ−ＤＰＣＨのＳＩＲを計算し、
▲２▼目標値と比較し、
▲３▼送信電力の増減を指示する送信電力制御コマンドを生成し、
▲４▼それぞれの基地局から各下り物理チャネルＡ−ＤＰＣＨに載せて同じ移動局に送信電力制御コマンドを送信する。
したがって、移動局には送信電力制御コマンドが２つ到来する形になる。
一方、移動局では、
▲１▼別個の基地局から２本のＡ−ＤＰＣＨを受信し、予め定められた手順によってその２本のＡ−ＤＰＣＨを合成し、合成後のＡ−ＤＰＣＨのＳＩＲを計算し、
▲２▼ＳＩＲを目標値と比較し、
▲３▼比較結果に基づいて、送信電力の増減を指示する送信電力制御コマンドを生成し、
▲４▼送信電力制御コマンドを上り物理チャネルＡ−ＤＰＣＨに載せて送信する。
なお、このＡ−ＤＰＣＨは１つの移動局４−１から複数の基地局３−１，３−２に同報的に送信されるものであり、図８では２本あるように見えるが、１つの無線信号である。よって、別個の基地局３−１，３−２は１つの移動局４−１から同じＡ−ＤＰＣＨを受信することになる。
このＤＨＯ技術により、移動局では複数の基地局からの信号を受け取り、合成することができるので、合成利得により下り物理チャネルＡ−ＤＰＣＨの品質は向上する。また、基地局側でも、同じ移動局からの無線信号を複数の場所で受信し、合成することができるので、Ａ−ＤＰＣＨの品質も向上する。
しかしながら、ＤＨＯ中の下りＡ−ＤＰＣＨに着目すると、複数の基地局３−１，３−２から同時に無線信号が送信され、移動局４−１側で合成されるため、各々の基地局３−１，３−２の下りＡ−ＤＰＣＨの送信電力はＤＨＯを行っていない場合（つまり、１つの基地局から送信される場合）に比べて、１つの基地局当たりでは少ない送信電力で同等のＳＩＲを達成することができる。単純化すれば、いままで１つの基地局から送信していたものを２つの基地局から送信した場合、１局当たりの送信電力は半分に削減できることになる。
しかるに、ＤＨＯ中、各基地局３−１，３−２での下り物理チャネルＡ−ＤＰＣＨの送信電力が減少してしまうにもかかわらず、下り共有チャネルＰＤＳＣＨの送信電力には、ＰＤＳＣＨを送信する基地局３−１の下りＡ−ＤＰＣＨにＤＨＯ中ではない時のオフセット値をかけたものを用いるので、ＤＨＯ中のＰＤＳＣＨの受信品質が低下してしまう問題がある。
本発明はこのような従来の問題点に鑑みてなされたもので、単一の無線チャネルに複数の移動局のユーザデータを時間多重して送信するような移動パケット通信において、ダイバーシチ受信中のＰＤＳＣＨの受信品質を常に良好に保つことができる技術を提供することを目的とする。
本発明はまた、データ送信チャネルの送信電力は固定し、データ量を可変制御するＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式において、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）の受信品質を常に良好に保つことができる技術を提供することを目的とする。
発明の開示
本発明の１つの特徴は、移動パケット通信システムにおける送信電力制御方法にあり、
移動局が、信号電波を受信できる１又は複数の基地局それぞれからの第１の下り無線チャネルの信号状態をチェックし、当該第１の下り無線チャネルの信号状態に応じてその送信電力の増減を指示する送信電力制御コマンドを当該第１の下り無線チャネルと対をなす上り無線チャネルを通じて各基地局に送信するステップと、
移動局と通信するように無線制御装置によって指定された、１又は複数の基地局各々が、移動局からの上り無線チャネルの信号状態をチェックし、当該上り無線チャネルの信号状態に応じてその送信電力の増減を指示する送信電力制御コマンドを当該上り無線チャネルと対をなす第１の下り無線チャネルを通じて送信するステップと、
無線制御装置が、移動局との間で通信している基地局のダイバーシチブランチ数を検出し、検出したダイバーシチブランチ数が多ければオフセットを増加させ、ダイバーシチブランチ数が少なければオフセットを減少させることによってオフセットを決定するステップと、
無線制御装置が、１又は複数の基地局の内の特定の基地局を移動局との間の第２の下り無線チャネルでの信号の送信役に指定し、当該送信役に指定した１つの基地局に対して、当該移動局へ信号を送信する第２の下り無線チャネルの送信電力を、第１の下り無線チャネルの送信電力に対してオフセットをかけた値にするように通知するステップと、
移動局との間の第２の下り無線チャネルでの信号の送信役に指定された１つの基地局が、第２の下り無線チャネルの送信電力を無線制御装置から通知されたものに調整し、無線制御装置から転送されてきた下り信号を送信するステップとを有することを特徴とする。
本発明の別の特徴は、移動パケット通信システムにおける無線制御装置の送信電力制御方法にあり、特定の移動局宛の第１の下り信号を、１又は複数の基地局それぞれから第１の下り無線チャネルによって送信させるステップと、移動局に対する基地局のダイバーシチブランチ数を検出し、検出したダイバーシチブランチ数が多ければオフセットを増加させ、ダイバーシチブランチ数が少なければオフセットを減少させることによってオフセットを決定するステップと、１又は複数の基地局の内の特定の基地局を移動局との間の第２の下り無線チャネルでの下り信号の送信役に指定し、指定した１つの基地局に対して、第２の下り無線チャネルの送信電力を、第１の下り無線チャネルの送信電力に対してオフセットをかけた値にするように通知するステップとを有することを特徴とする。
本発明のまた別の特徴は、無線制御装置にあり、ダイバーシチブランチ数を増減制御するダイバーシチブランチ制御部と、接続している移動局ごとのダイバーシチブランチ数を記憶する記憶部と、記憶部に記憶されている移動局ごとのダイバーシチブランチ数に基づき当該移動局に対する特定の下り無線チャネルの送信電力のオフセットの値を決定し、該当基地局に指示するオフセット計算部とを備えたことを特徴とする。
発明を実施するための最良の形態
以下、本発明を図示の実施の形態に基づいて詳説する。図９は本発明の１つの実施の形態の移動パケット通信システムにおける無線制御装置２の機能構成を示している。なお、移動パケット通信システムのハードウェア構成は、従来技術に関連して説明した図１に示すものであり、本発明の実施の形態の特徴は、その中の無線制御装置２の部分にある。
図１に示す移動パケット通信システムは、交換装置１と無線制御装置２、基地局３−１，３−２，３−３，…が階梯をなす構成である。ユーザ個々の携帯電話機のような移動局４−１，４−２，…は、基地局と無線回線を経由して通信を行なう。
無線制御装置２は、個々の基地局３−１，３−２，…に対して下り回線の共有チャネルＰＤＳＣＨに対するオフセット値の指定やダイバーシチＤＨＯのブランチの追加及び削除の命令を出し、複数の基地局を統括するものである。
この無線制御装置２は、図９に示すように、幹線網よりデータを受け取って保持するユーザデータバッファ２１、キューイング処理を実行するキューイング処理部２２、後述するオフセット値の計算を実行するオフセット計算部２３、基地局のダイバーシチＤＨＯブランチを制御するＤＨＯ制御部２４、そして必要な諸データを記憶する記憶装置２５から構成される。
この無線制御装置２のユーザデータバッファ２１は、幹線網側から到来する個々のユーザの移動局宛のユーザデータを一時的に保持する。キューイング処理部２２は、移動局に対するデータの送出順序を制御し、ユーザデータバッファ２１に保持されているユーザデータを基地局に転送する。
オフセット計算部２３は、基地局それぞれに該当ユーザの移動局に対するＰＤＳＣＨのオフセット値を計算し、その指示を行なう。
ＤＨＯ制御部２４は、移動局からのブランチの追加／削除要求に応じて、基地局を制御しブランチの設定を行なう。このＤＨＯ制御部２４では、ＤＨＯブランチの追加／削除を行なった場合、記憶装置２５に格納されている該当ユーザの移動局のＤＨＯブランチ数の情報を更新する。
記憶装置２５は移動局のＤＨＯブランチ数を保持すると共に、ブランチ数１，２，３に対応して設定するオフセット値のデータテーブルを保持している。
オフセット計算部２３の処理機能を、図１０のフローチャートを用いて説明する。キューイング処理部２２より送信対象移動局のＩＤの通知を受け取ると、そのユーザＩＤのＤＨＯブランチ数を記憶装置２５から取得する（ステップＳ１，Ｓ２）。
そして取得したＤＨＯブランチ数により、ＤＨＯブランチが１であれば、基地局に対して通常のオフセット値Ａを使用する指示を通知する。ＤＨＯブランチが２であれば、オフセットにＢ［ｄＢ］だけ加算した値（Ａ＋Ｂ）を、ＤＨＯブランチが３であれば、オフセットにＣ［ｄＢ］だけ加算した値（Ａ＋Ｃ）を基地局に対して通知する（ステップＳ３）。
なお、ここで、オフセットの調整値として、Ｂは３［ｄＢ］程度、Ｃは５［ｄＢ］程度が適切である。なぜならば、ＤＨＯブランチ数が２であれば、下り物理チャネルＡ−ＤＰＣＨの送信電力が半減すると想定することができるので３［ｄＢ］程度が適当である。またＤＨＯブランチ数が３であれば、同じＡ−ＤＰＣＨの送信電力がブランチ数１の場合の１／３程度になるので、５［ｄＢ］程度が適当である。
これにより、本実施の形態の移動パケット通信システムでは、ダイバーシチ（ＤＨＯ）中の下り共有チャネルＰＤＳＣＨの送信電力のオフセット値を、ＤＨＯブランチ数に応じて切り替えるようにしたので、ＤＨＯ中に移動局が特定の１つの基地局から受信するＰＤＳＣＨの送信電力を、同時に複数の基地局から送信され、送信電力が合成されるＡ−ＤＰＣＨの送信電力とほぼ同等に維持することができ、ＤＨＯ中のＰＤＳＣＨの品質を良質に保てる。
なお、上記の実施の形態では、無線制御装置２の記憶装置２５にＤＨＯブランチ数に対応したオフセット値をデータテーブルにして保持させ、オフセット計算部２３がＤＨＯブランチ数に対応したオフセット値をピックアップして用いるようにしたが、これに限定されるものではなく、オフセット計算部２３がブランチ数ｘを変数とする所定の関数演算式ｆ（ｘ）によりオフセット値を算出する構成であってもよい。
次に、本発明の第２の実施の形態の移動パケット通信システムについて、図１１〜図１３を用いて説明する。本発明は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式において、制御信号伝送用チャネルであるＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）の送信電力制御にも適用することができる。
ＨＳＤＰＡ方式は、図１１に示す方式であり、次のようなチャネル構成である。（１）ＨＳ−ＰＤＳＣＨ：下りデータ信号伝送用チャネル、（２）ＨＳ−ＳＣＣＨ：制御信号伝送用チャネル、（３）下りＡ−ＤＰＣＨ：送信電力制御専用チャネル／上りＡ−ＤＰＣＨ：データ信号＋制御信号伝送用チャネル。
そして送信方式は、（１）のＨＳ−ＰＤＳＣＨは送信電力固定にして、信号状態に応じて送信データ量を増減制御し、（２）のＨＳ−ＳＣＣＨは信号状態に応じて送信電力を可変制御する。このＨＳ−ＳＣＣＨで送信する制御信号には、送信データサイズ、送信元等のＨＳ−ＰＤＳＣＨで送るパケットデータの制御情報である。
本実施の形態のシステムでも、ハードウェア構成は第１の実施の形態と同様であり、図１に示すものであり、基地局３−１，３−２，…に対する送信電力の制御は無線制御装置２によって実行する。
図１２に示すように、無線制御装置２はユーザデータバッファ２１、キューイング処理部２２、オフセット計算部２３０、ＤＨＯ制御部２４、記憶装置２５から構成され、図９に示した第１の実施の形態とほぼ同様である。そして、ユーザデータバッファ２１、キューイング処理部２２、ＤＨＯ制御部２４、そして記憶装置２５の処理機能は第１の実施の形態と同様である。
第２の実施の形態の特徴はオフセット計算部２３０にあり、基地局それぞれに該当ユーザの移動局に対するＨＳ−ＳＣＣＨのオフセット値を計算し、その指示を行なう。
オフセット計算部２３０の処理機能を、図１３のフローチャートを用いて説明する。基本的には第１の実施の形態のオフセット計算部２３の処理機能と同様であり、キューイング処理部２２より送信対象移動局のＩＤの通知を受け取ると、そのユーザＩＤのＤＨＯブランチ数を記憶装置２５から取得する（ステップＳ１１，Ｓ１２）。
そして取得したＤＨＯブランチ数により、ＤＨＯブランチが１であれば、基地局に対して通常のオフセット値Ａを使用する指示を通知する。ＤＨＯブランチが２であれば、オフセットにＢ［ｄＢ］だけ加算した値（Ａ＋Ｂ）を、ＤＨＯブランチが３であれば、オフセットにＣ［ｄＢ］だけ加算した値（Ａ＋Ｃ）を基地局に対して通知する（ステップＳ１３）。ここで、オフセットの調整値は第１の実施の形態と同様とする。
これにより、本実施の形態の移動パケット通信システムでは、ダイバーシチ（ＤＨＯ）中の下りＨＳ−ＳＣＣＨの送信電力のオフセット値を、ＤＨＯブランチ数に応じて切り替えるようにしたので、ＤＨＯ中に移動局が特定の１つの基地局から受信するＨＳ−ＳＣＣＨの送信電力を、同時に複数の基地局から送信され、送信電力が合成されるＡ−ＤＰＣＨの送信電力とほぼ同等に維持することができ、ＤＨＯ中のＨＳ−ＳＣＣＨの品質を良質に保てる。
産業上の利用の可能性
以上のように本発明によれば、ある移動局との通信に関連する基地局それぞれに対して、ダイバーシチブランチ数が多ければ第１の下り無線チャネルの送信電力に対する第２の下り無線チャネルの送信電力のオフセットを増加させ、ダイバーシチブランチ数が少なければ同オフセットを減少させる制御をするので、ダイバーシチ中に移動局が特定の１つの基地局から第２の下り無線チャネルを通じて受信する第２の下り信号の送信電力を、同時に複数の基地局から送信され、送信電力が合成される第１の下り無線チャネルの送信電力とほぼ同等に維持することができ、ダイバーシチ中に特定の基地局から移動局に送信される第２の下り信号の品質を良質に保てるように該当基地局を制御することができる。
【図面の簡単な説明】
図１は、一般的な移動パケット通信システムのブロック図。
図２は、一般的な移動パケット通信システムによるＰＤＳＣＨの時間多重送信の仕組みの説明図。
図３は、従来の移動パケット通信システムにおける１つの基地局と移動局との間の通信時の信号チャネルの構成を示す説明図。
図４は、従来の移動パケット通信システムによる複数の基地局と１つ移動局との間の通信時の信号チャネルの構成を示す説明図。
図５は、従来の移動パケット通信システムによる１つの基地局と移動局との間の通信時のＡ−ＤＰＣＨ、ＤＰＣＨを利用した送信電力制御の方法を示す説明図。
図６は、従来の移動パケット通信システムによる移動局側の送信電力制御コマンドの生成処理を示すフローチャート。
図７は、従来の移動パケット通信システムによる基地局側の送信電力制御コマンドの生成処理を示すフローチャート。
図８は、従来の移動パケット通信システムによるダイバーシチ中の２つの基地局と１つの移動局との間の送信電力制御の方法を示す説明図。
図９は、本発明の第１の実施の形態の移動パケット通信システムにおける無線制御装置の機能構成を示すブロック図。
図１０は、上記の無線制御装置が実行する処理のフローチャート。
図１１は、ＨＳＤＰＡ方式の移動パケット通信システムにおける１つの基地局と移動局との間の通信時の信号チャネルの構成を示す説明図。
図１２は、本発明の第２の実施の形態の移動パケット通信システムにおける無線制御装置の機能構成を示すブロック図。
図１３は、上記の無線制御装置が実行する処理のフローチャート。
【図１】
2003032528.tif 000004
【図２】
2003032528.tif 000005
【図３】
2003032528.tif 000006
【図４】
2003032528.tif 000007
【図５】
2003032528.tif 000008
【図６】
2003032528.tif 000009
【図７】
2003032528.tif 000010
【図８】
2003032528.tif 000011
【図９】
2003032528.tif 000012
【図１０】
2003032528.tif 000013
【図１１】
2003032528.tif 000014
【図１２】
2003032528.tif 000015
【図１３】
2003032528.tif 000016
【国際調査報告】
2003032528.tif 000017
2003032528.tif 000018
2003032528.tif 000019
2003032528.tif 000020